(57)【要約】【課題】  成果物を生成するための複数の設定項目に対する設定を行う際に、成果物に対する、どの設定かをユーザが認識しやすくなる技術を提供することを目的とする。【解決手段】  成果物を生成するための複数の設定項目に対する設定を行うための設定画面を表示し、設定画面において、設定項目が選択されているかを判定する。設定画面において、設定項目が選択されていると判定された場合は、選択されている設定項目に関する画像を表示し、設定項目が選択されていないと判定された場合は、設定項目に関する画像は表示しない。【選択図】  図１６
2020071722.tif 000002
【特許請求の範囲】
【請求項１】
成果物を生成するための複数の設定項目に対する設定を行うための設定画面を表示する表示制御手段と、
前記設定画面において、設定項目が選択されているかを判定する判定手段を有し、
前記設定画面において、設定項目が選択されていると判定された場合は、選択されている設定項目に関する画像を表示し、設定項目が選択されていないと判定された場合は、設定項目に関する画像は表示しないことを特徴とする情報処理装置。
【請求項２】
前記設定画面は、成果物に関する画像を表示し、
前記設定項目に関する画像は、前記成果物に関する画像上に表示することを特徴とする請求項１に記載の情報処理装置。
【請求項３】
前記設定画面は、成果物のページプレビュー画像を表示し、
前記設定項目に関する画像は、前記ページプレビュー画像上に表示することを特徴とする請求項１に記載の情報処理装置。
【請求項４】
前記判定手段は、設定項目の所定の範囲内にカーソルがある場合に、設定項目が選択されていると判定することを特徴とする請求項１乃至３の何れか１項に記載の情報処理装置。
【請求項５】
前記判定手段は、設定項目にフォーカスがある状態である場合に、設定項目が選択されていると判定することを特徴とする請求項１乃至３の何れか１項に記載の情報処理装置。
【請求項６】
前記判定手段は、前記設定項目が選択されていると判定した場合、選択されている設定項目が、設定項目に関する画像を表示する設定項目かをさらに判定し、
前記選択されている設定項目が、設定項目に関する画像を表示する設定項目であると判定された場合、前記選択されている設定項目に関する画像を表示し、
前記選択されている設定項目が、設定項目に関する画像を表示する設定項目でないと判定された場合、設定項目に関する画像を表示しないことを特徴とする請求項１乃至５の何れか１項に記載の情報処理装置。
【請求項７】
前記複数の設定項目は、印刷前処理、印刷処理、印刷後処理の何れかの処理に関する設定項目であることを特徴とする請求項１乃至６の何れか１項に記載の情報処理装置。
【請求項８】
情報処理装置の制御方法であって、
成果物を生成するための複数の設定項目に対する設定を行うための設定画面を表示する表示工程と、
前記設定画面において、設定項目が選択されているかを判定する判定工程を有し、
前記設定画面において、設定項目が選択されていると判定された場合は、選択されている設定項目に関する画像を表示し、設定項目が選択されていないと判定された場合は、設定項目に関する画像は表示しないことを特徴とする情報処理装置の制御方法。
【請求項９】
前記設定画面は、成果物に関する画像を表示し、
前記設定項目に関する画像は、前記成果物に関する画像上に表示することを特徴とする請求項８に記載の情報処理装置の制御方法。
【請求項１０】
前記設定画面は、成果物のページプレビュー画像を表示し、
前記設定項目に関する画像は、前記ページプレビュー画像上に表示することを特徴とする請求項８に記載の情報処理装置の制御方法。
【請求項１１】
請求項１乃至７の何れか１項に記載の情報処理装置としてコンピュータを機能させるための該コンピュータで読み取り可能なプログラム。
【発明の詳細な説明】
【技術分野】
【０００１】
本発明は、商業印刷における設定に関する。
【背景技術】
【０００２】
商業印刷において、商材（ブック、チラシ、名刺など）を制作するために必要なパーツ（表紙、本文、扉、帯など）と、そのパーツ毎に必要となる工程（面付け、バーコード付与、印刷、折り、無線綴じ、三方断裁など）を割り当ててワークフローの作成を行う。そして、注文を受けたジョブを作成されたワークフローに基づいて自動処理することが行われている。特許文献１で開示されている商材生成ソフトウェアでは、印刷物及び最終成果物の形態を考慮して、仮想印刷物に対する面付け作業を行うことが可能である。
【先行技術文献】
【特許文献】
【０００３】
【特許文献１】特開２０１４−１９１３８８号公報
【発明の概要】
【発明が解決しようとする課題】
【０００４】
特許文献１に開示されている商材生成ソフトウェアは面付けを施した最終成果物をプレビューすることができるが、成果物に対して設定しようとする項目がどこの設定値なのかわかりづらいという課題がある。特に、商業印刷では、工程毎に非常に多くの設定項目があり、成果物に対する、どの設定かを認識しづらいという課題がある。
【０００５】
本発明では上記課題を鑑み、成果物を生成するための複数の設定項目に対する設定を行う際に、成果物に対する、どの設定かをユーザが認識しやすくなる技術を提供することを目的とする。
【課題を解決するための手段】
【０００６】
上記目的を達成するために、本発明の情報処理装置は、成果物を生成するための複数の設定項目に対する設定を行うための設定画面を表示する表示制御手段と、前記設定画面において、設定項目が選択されているかを判定する判定手段を有し、前記設定画面において、設定項目が選択されていると判定された場合は、選択されている設定項目に関する画像を表示し、設定項目が選択されていないと判定された場合は、設定項目に関する画像は表示しないことを特徴とする。
【発明の効果】
【０００７】
本発明によれば、成果物を生成するための複数の設定項目に対する設定を行う際に、成果物に対する、どの設定かをユーザが認識しやすくなるという効果がある。
【図面の簡単な説明】
【０００８】
【図１】本発明のシステム構成を示す図
【図２】本発明の情報処理装置のハードウェア構成を示す図
【図３】本発明のソフトウェア構成を示す図
【図４】設定画面の一例を示す図
【図５】ワークフロー工程設定画面の一例を示す図
【図６】情報テーブルの一例を示す図
【図７】変形例２におけるアシスト画像を表示する処理を示したサブフローチャート
【図８】変形例３におけるアシスト画像を表示する処理を示したサブフローチャート
【図９】ポストプレス工程における無線綴じ設定時のＵＩ例を示す図
【図１０】関連パーツ情報テーブルの一例を示す図
【図１１】ポストプレス工程設定画面の一例を示す図
【図１２】ポストプレス工程設定画面の一例を示す図
【図１３】ポストプレス工程設定画面の一例を示す図
【図１４】ポストプレス工程における中綴じ設定右綴じのＵＩ画面の一例を示す図
【図１５】ポストプレス工程における中綴じ設定左綴じのＵＩ画面の一例を示す図
【図１６】ワークフロー作成に関するＵＩ処理を示したフローチャート
【図１７】アシスト画像を表示する処理を示したサブフローチャート
【図１８】プリプレス工程における面付け設定のＵＩ例を示す図
【図１９】変形例１におけるアシスト画像を表示する処理を示したサブフローチャート
【図２０】設定画面の一例を示す図
【図２１】設定画面の一例を示す図
【図２２】変形例１におけるワークフロー作成に関するＵＩ処理を示したフローチャート
【発明を実施するための形態】
【０００９】
以下、本発明を実施するための形態について図面を用いて説明する。
【００１０】
＜第１の実施形態＞
図１は本発明の実施形態におけるシステム構成図を示した図である。本実施例のシステム構成は、情報処理装置１０１、画像形成装置１０２、後処理装置１０３を備える。情報処理装置１０１と画像形成装置１０２と後処理装置１０３はネットワーク１００を介して互いに接続される。画像形成装置１０２は、情報処理装置１０１などから送信される印刷データを解析し、１ページずつドットイメージに変換して印刷する。画像形成装置１０２から出力された印刷物は、オペレータによるハンドキャリーで後処理装置１０３に渡されたり、ベルトコンベア（不図示）を介して後処理装置１０３に渡されたりする。後処理装置１０３は、画像形成装置１０２や情報処理装置１０１とネットワーク１００を介して通信を行うことができる。後処理装置１０３は渡された印刷物に対して、断裁、クリース、折りや製本や無線綴じなどの加工を施す。複数の後処理装置を用いて、製本してから断裁することも可能である。なお、図１では情報処理装置１０１、画像形成装置１０２、後処理装置１０３がそれぞれ１つずつ例示されているが、各装置がいくつ配置されても構わない。例えば、複数の画像形成装置で出力された印刷物を、複数の後処理装置１０３で処理するようにしても良い。
【００１１】
図２は情報処理装置１０１のハードウェア構成図である。ＣＰＵ２０１はＲＯＭ２０２に記憶された制御プログラムを読み出して各種制御処理を実行する。ＲＡＭ２０３はＣＰＵ２０１の主メモリ、ワークエリアなどの一時記憶領域として用いられる。ＨＤＤ２０４は画像データや各種プログラムを記憶する。キーボード２０５は指示入力手段である入力装置であり、本発明の後述するアプリケーションに対して制御コマンドの命令やテキスト入力などを指示する。ポインティングデバイス２０６はキーボード２０５とともに指示入力手段である入力装置であり、本発明の後述するアプリケーションに対して制御コマンドの命令を指示する。ディスプレイ２０７は表示手段である出力装置であり、キーボード２０５やポインティングデバイス２０６から入力されたコマンドや本発明の後述するアプリケーションの状態などを表示及び表示制御する。ネットワークＩ／Ｆ２０８は情報処理装置１０１をネットワーク（Ｌｏｃａｌ  Ａｒｅａ  Ｎｅｔｗｏｒｋやインターネットなど）に接続する。情報処理装置１０１はネットワークＩ／Ｆ２０８を用いてネットワーク上の他の装置と各種情報を送受信する。
【００１２】
図３は情報処理装置１０１のソフトウェア構成図である。ワークフロー設定アプリケーション３０１は情報処理装置１０１にインストールされて動作し、実行される場合にＲＡＭ２０３にロードされ、ＣＰＵ２０１により実行されるプログラムモジュールである。ＵＩ部３０２はグラフィカルユーザーインターフェース（ＧＵＩ）の構築やユーザーからの各種入力操作を受け付けて対応する処理の実行指示を行う。ＵＩ制御部は後述するユーザーに対し各設定が最終成果物にどう反映されるのかイメージしやすくするためのアシスト画像の生成、表示等を行う。ワークフロー制御部はワークフロー設定アプリケーションの各種編集処理（ワークフローの作成・編集・登録など）を実行する。データ管理部３０５は後述するワークフローデータベース（ＤＢ）にアクセスし、ＵＩやワークフロー制御に関する各種情報の参照を実行する。ワークフローＤＢ３０６は、後述するＵＩやワークフロー制御情報を管理するデータベースである。ワークフローＤＢは情報処理装置１０１のＨＤＤ２０４に情報を格納する構成だけでなく、ネットワークで接続された他の情報処理装置（データベースサーバーなど）を格納先としても構わない。印刷ジョブ管理アプリケーション３０７は、情報処理装置１０１にインストールされて動作するプログラムモジュールである。印刷ジョブ管理アプリケーションは、オーダーシステム（不図示）でユーザーから印刷物作成の注文を受診し、ワークフローＤＢからワークフロー設定アプリケーションが登録したワークフロー情報を取得して注文に対応する印刷ジョブの生成を行う。そして、印刷ジョブ管理アプリケーションは生成した印刷ジョブを所定の画像形成装置１０２、後処理装置１０３へ送信する。なお、印刷ジョブ管理アプリケーションとワークフロー設定アプリケーションは１つのアプリケーションとして構成しても構わない。また印刷ジョブ管理アプリケーションとワークフロー設定アプリケーションを別の情報処理装置１０１にインストールする構成にしても構わない。ワークフロー設定アプリケーションは、印刷前処理（プリプレス）、印刷処理（プレス）、印刷後処理（ポストプレス）において、工程の設定、工程の順序設定、工程における設定値の設定などをおこなうためのアプリケーションである。
【００１３】
図１６は、ワークフロー設定アプリケーションのＵＩ処理を示したフローチャートである。
【００１４】
Ｓ１６０１は、設定画面を表示する。設定画面は、成果物を生成するための複数の設定項目に対する設定を行うための設定画面である。複数の設定項目は、印刷前処理（プリプレス）、印刷処理（プレス）、印刷後処理（ポストプレス）の何れかの処理に関する設定項目である。図１８は本文パーツのプリプレス工程における面付け設定のＵＩ画面例である。１８０１は編集対象のパーツを示しており、本文が対象である旨を示している。１８０２はワークフローにおける設定対象の工程として、プリプレス（面付）、プレス（印刷）、ポストプレス（後加工）から編集対象の工程を指定するタブコントロールを示しており、プリプレスを編集している状態を示している。１８０３は各種工程を設定するためのボタンを示しており、プリプレスではバーコード、テキスト、イメージ、トンボ、マークの工程を設定するためのボタンが表示される。１８０４は面付けの詳細設定を行うための設定コントロールを示している。
【００１５】
本実施形態では、設定画面を表示した際に、予め、設定コントロールの各設定項目に、デフォルト値が入力されているとする。設定コントロールの各設定項目のデフォルト値は図６（ｄ）に示すパーツ毎商材に合わせて決まるデフォルト値情報テーブルから取得する。デフォルト値情報テーブルはワークフローＤＢ３０６に格納されていて、データ管理部３０５が読み取り、ＵＩ部３０２に渡され表示される。１８０５はプレビュー画像を示している。
【００１６】
Ｓ１６０２は、設定項目が選択されているかを判定する。ここでは、設定項目の所定の範囲内にカーソルがある場合や、設定項目にフォーカスがある状態である場合に、設定項目が選択されていると判定する。判定方法は一例であって、設定項目が１つ選択され、入力される状態であれば、設定項目が選択されていると判定してよい。図２０の２００２は出力用紙サイズ（幅）にカーソルがある場合の一例である。カーソルが設定項目上にあるかどうかは設定項目の入力Ｂｏｘ上あるいはその周りの一定矩形内にあるか等で判断できる。設定項目が選択されていると判定された場合Ｓ１６０３に進む。判定されなければ処理が完了する。
【００１７】
Ｓ１６０３は、設定項目に対するアシスト画像を表示する。図２０の２００１は出力用紙サイズ（幅）のアシスト画像の例である。アシストする方法としては本例の様に矢印でも線でも色を付ける等その他の手段でも現在設定している箇所がわかる手段であれば構わない。選択されている設定項目に対するアシスト画像を表示することで、ユーザが、どの設定項目であるかを判断することができる。アシスト画像表示の各ステップは、図１７で後述する。
【００１８】
Ｓ１６０４は、選択されている設定項目に対して、設定値が変更されたかどうかを判定する。つまり、ユーザが設定値を入力（変更）した場合、設定値が変更されたと判定されることになる。図４の４０１は出力用紙サイズ（幅）を３２９から５２９に変更し入力された場合の例である。尚、変更された設定値は、ワークフローＤＢ３０６、ＲＡＭ２０３、ＨＤＤ２０４のいずれかで保持される。
【００１９】
Ｓ１６０５は、変更された設定値を用いて、設定項目に対するアシスト画像を表示する。アシスト画像表示の各ステップは、図１７で後述する。図２１の２１０１は、出力用紙サイズ（幅）の設定値が変更された値である５２９が、アシスト画像に反映されている。
【００２０】
Ｓ１６０６は、変更された設定値をプレビュー画像に反映する。図２１の２１０２は、出力用紙サイズ（幅）の設定値が変更された値である５２９が、プレビュー画像に反映されている。
【００２１】
Ｓ１６０７は、設定項目が選択されていないかどうかを判定する。設定項目にフォーカスがない、あるいはカーソルがない場合に、設定項目が選択されていないと判定する。設定項目が選択されていないと判定された場合Ｓ１６０８に進む。判定されなければ処理が完了する。
【００２２】
Ｓ１６０８は、アシスト画像を非表示にする。図４は、アシスト画像が非表示になっている例である。
【００２３】
尚、Ｓ１６０２からＳ１６０８は、設定値の設定が完了するまで、処理を繰り返す。設定値の設定が完了したら、処理を終了する。尚、本実施形態では、保存ボタンが選択されたら、設定値の設定が完了したと判断するが、他の判断方法であっても構わない。
【００２４】
図１７は、アシスト画像を表示する処理を示したサブフローチャートである。図１６のＳ１６０３、Ｓ１６０５のサブフローチャートである。
【００２５】
Ｓ１７０１は、選択されている設定項目が、アシスト画像を表示する項目かを判定する。設定項目がアシスト画像を表示する項目であればＳ１７０２に、なければ処理を終了する。設定項目がアシスト画像を表示する項目か否かは、図６（ｅ）に示すパーツ毎商材に合わせて決まるアシスト画像情報テーブルに基づいて、判定する。図６（ｅ）の例では出力用紙サイズ（幅）、出力用紙サイズ（高さ）、仕上がりサイズ（幅）、仕上がりサイズ（高さ）の設定項目がアシスト画像を表示する項目であることを示している。アシスト画像情報テーブルはワークフローＤＢ３０６に格納されていて、データ管理部３０５が読み取り、ＵＩ部３０２に渡され、判定される。
【００２６】
Ｓ１７０２にて、選択された設定項目の設定値を取得する。図２０の２００２の例では出力用紙サイズ（幅）の設定項目に設定されている３２９を取得することになる。
【００２７】
Ｓ１７０３で、選択された設定項目の設定値が空白（無し）ならばＳ１７０４にてアシスト画像の設定値としてデフォルト値を設定し、Ｓ１７０５に進む。設定値がある場合はＳ１７０４をスキップしてＳ１７０５に進む。
【００２８】
Ｓ１７０５で、プレビュー上（ページプレビュー画像上）の該当設定箇所に設定値が反映されたアシスト画像を表示する。図２０の２００１は出力用紙サイズ（幅）３２９ｍｍを反映したアシスト画像となる。出力用紙サイズ（幅）の設定値に応じて矢印の長さが変わる。アシストする方法としては本例の様に矢印でも線でも色を付ける等その他の手段でも現在設定している箇所がわかる手段であれば構わない。Ｓ１７０４にて設定値が空白の場合にアシスト画像の設定値としてデフォルト値を設定した理由は、設定値が空白（なし）では設定値が反映されたアシスト画像が作成できないためである。デフォルト値を設定することで設定値が空白の場合もアシスト画像が表示される。
【００２９】
尚、本実施形態において、アシスト画像は、プレビュー画像とは別に、設定項目が識別できる画像である。一例として、図２０の２００１で示した矢印の画像である。しかしながら、矢印の画像でなくともよく、線、波線、マーク、記号などの画像であってもよい。また、アシストする箇所によって、異なる画像を表示するようにしてもよい。
【００３０】
以上の処理により、ユーザが、設定値を入力する際に、その設定項目のアシスト画像が表示されることで、ユーザは、選択されている設定項目が、成果物のどの設定かを容易に認識することができる。
【００３１】
＜変形例１＞
第１の実施形態の変形例１を説明する。
【００３２】
図１６、１７では、設定値が変更されると、その変更された設定値に合わせて、アシスト画像を修正して表示する例を説明した。変形例１では、設定値が変更されたとしても、デフォルトの設定値を用いて、アシスト画像を表示する例を説明する。
【００３３】
図２２は、設定値入力のためのＵＩ処理を示したフローチャートである。図１６のＳ１６０５の処理がない点が、図１６と異なる。つまり、図２２のＳ１６０４で、設定値が変更されたとしても、アシスト画像は変更されない。
【００３４】
図１９は、アシスト画像を表示する処理を示したサブフローチャートである。図１９のＳ１６０３のサブフローチャートである。
【００３５】
Ｓ２３０１は、デフォルト値情報テーブルから、選択された設定項目のデフォルト値を取得する。Ｓ２３０２は、プレビュー上の該当設定箇所にデフォルトの設定値が反映されたアシスト画像を表示する。
【００３６】
変形例１では、変更された設定値に合わせて、アシスト画像を修正して表示することがないので、ＵＩ処理のパフォーマンスをよくしながら、アシスト画像を表示することができる。
【００３７】
＜変形例２＞
第１の実施形態の変形例２を説明する。
【００３８】
図１７では、プレビュー画像が表示される表示領域で表示可能なアシスト画像を表示する例を説明した。変形例２では、プレビュー画像が表示される表示領域とは異なる領域に、アシスト画像を表示する例を説明する。本変形例では、プレビュー画像が表示される表示領域には、ページプレビュー（第１のプレビュー）を表示し、ページとは異なる視点から成果物を表した画像に、アシスト画像を表示する。
【００３９】
図５は本文パーツのポストプレス工程における無線綴じ設定のＵＩ画面例である。５０１は編集対象のパーツを示しており、本文が対象である旨を示している。５０２はワークフローにおける設定対象の工程として、プリプレス（面付）、プレス（印刷）、ポストプレス（後加工）から編集対象の工程を指定するタブコントロールを示しており、ポストプレスを編集している状態を示している。５０３は各種工程を設定するためのボタンを示しており、ポストプレスでは折り・カット＆クリース・中綴じ・無線綴じ・三方断裁の工程を設定するためのボタンが表示される。５０４は無線綴じの詳細設定を行うための設定コントロールを示している。設定コントロールの各設定項目のデフォルト値は図６（ａ）に示すパーツ毎商材に合わせて決まるデフォルト値情報テーブルから取得する。デフォルト値情報テーブルはワークフローＤＢ３０６に格納されていて、データ管理部３０５が読み取り、ＵＩ部３０２に渡される。図６（ｂ）は、設定項目ごとにアシスト画像を表示する項目であるかを示すアシスト画像情報テーブルである。このテーブルは、パーツ毎商材に合わせて決定される。
【００４０】
図７は、変形例２におけるアシスト画像を表示するサブフローチャートである。Ｓ７０１〜Ｓ７０３以外は、図１７と同じであり、図１７と同一の処理に関しては同一の符号を使用して説明を省略する。
【００４１】
Ｓ７０１では、カーソルでポイントし選択している項目が通常のプレビュー（ページプレビュー、第１のプレビュー）に関連する設定であるかを判定する。通常のプレビュー（ページプレビュー）は、図５の５０７に相当する。通常のプレビューに関連する設定である場合はＳ１７０５に、そうでない場合はＳ７０２に進む。
【００４２】
Ｓ７０２ではカーソルでポイントし選択している項目が異なる視点からのプレビューに関連する設定であるかを判断する。図５の５０８は、異なる視点からのプレビュー（第２のプレビュー）例となる。例えば、本文パーツ、ポストプレス工程の無線綴じ設定での成果物に対し、本文の厚さ、糊付けの厚さの設定の効果がわかる視点からのプレビュー図となる。異なる視点からのプレビュー図はパーツ毎商材に合わせて各設定値で予め用意されワークフローＤＢ  ３０６に格納されている。異なる視点からのプレビューに関連する設定である場合はＳ７０３に進み、そうでない場合は処理が完了する。
【００４３】
Ｓ７０１，Ｓ７０２にてカーソルでポイントし選択している項目が通常のプレビューに関連する設定であるか、異なる視点からのプレビューに関連する設定であるかは、図６（ｃ）に示すパーツ毎商材に合わせて決まるプレビュー情報テーブルから取得する。プレビュー情報テーブルはワークフローＤＢ３０６に格納されていて、データ管理部３０５が読み取り、ＵＩ部３０２に渡され表示される。図６（ｃ）の本文用紙サイズ（高さ）は通常のプレビューのみに関連し、糊付けの厚さは異なる視点からのプレビューのみに関連していることを示している。また本文の厚さは通常のプレビューと異なる視点からのプレビュー両方に関連していることを示している。
【００４４】
Ｓ７０３で異なる視点からのプレビュー上の該当設定箇所に設定値が反映されたアシスト画像を表示する。図５の５０９は本文用紙サイズ（幅）１６５ｍｍを反映したアシスト画像となる。設定値の大きさに反映して矢印の長さが変化する。アシストする方法としては本例の様に矢印でも線でも色を付ける等その他の手段でも現在設定している箇所がわかる手段であれば構わない。
【００４５】
本文用紙サイズ（幅）の場合は本例の様に通常のプレビュー（ページプレビュー）にも異なる視点からのプレビューにも関連していて５０６と５０９の様に両方のプレビューにアシスト画像が表示される。
【００４６】
一方通常のプレビュー、異なる視点からのプレビューのどちらかにしか関連しない設定項目も存在する。
【００４７】
たとえば糊付けの厚さである。
【００４８】
図９は、糊付けの厚さの設定項目が選択されているときに表示される画面である。図９の９０１の設定項目で設定される。図９は本文パーツのポストプレス工程における無線綴じ設定時のＵＩを示している。通常のプレビューにはこの糊付けの厚さは現れない。異なる視点からのプレビューには９０２の様に表すことができ、設定値がどう反映されるのかがわかる。この様に異なる視点からのアシスト画像を追加することで設定が成果物にどう反映されるのかイメージしやすくなる。
【００４９】
また、異なる視点からのプレビューには現れず、通常のプレビューのみに現れる設定項目としてトンボ位置が挙げられる。これはプリプレス工程で設定済み（不図示）の設定値で断裁する位置を示すマーク位置である。これは９０３の様に通常のプレビューには表示され成果物をイメージすることができるが、異なる視点からのプレビューには現れない。
【００５０】
尚、ここでは、異なる視点からのプレビュー画像に、アシスト画像を表示する例を示したが、異なる視点からのプレビュー画像でなく、異なる視点からのアイコン画像でもよい。つまり、成果物が本であれば、本が表現されていて、アシスト画像を追加して成果物への設定箇所が把握できるような画像であればよい。また、通常のプレビュー画像には設定値が表現できない場合などは、異なる視点からの画像に対してだけ、アシスト画像を表示するようにしてもよい。
【００５１】
この様に通常のプレビュー画像に加え、異なる視点からの画像を表示し、それぞれに設定値が反映されたアシスト画像を表示することで設定が最終成果物にどう反映されるのか、認識しやすくなる。
【００５２】
異なる視点からのプレビューの別の例を、図１４、図１５に示す。ここでは、設定項目として、最終仕上がりサイズ（幅）の例を用いる。最終仕上がりサイズ（幅）は、通常のプレビューに関する設定項目で、かつ、異なる視点からのプレビューに関する設定項目である。
【００５３】
図１４は、本文パーツのポストプレス工程における中綴じ設定右綴じのＵＩ画面例である。１４０１は中綴じの詳細設定を行うための設定コントロールを示している。１４０２は綴じ方向として右綴じ設定が選択されていることを示している。１４０３は最終仕上がりサイズ（幅）の設定項目上にカーソルがある例である。
【００５４】
１４０４は通常のプレビューの例であり、右綴じであるため左ページが最初のページ（１ページ目）、右ページが最後のページ（この例では２００ページ目）となる。１４０５が最終仕上がりサイズ（幅）の通常のプレビュー上のアシスト画像例である。１４０６は視点が異なるプレビューの例であり、１４０７が最終仕上がりサイズ（幅）の視点が異なるプレビュー上のアシスト画像例である。
【００５５】
図１５は、本文パーツのポストプレス工程における中綴じ設定左綴じのＵＩ画面例である。１５０１は綴じ方向として左綴じ設定が選択されていることを示している。１５０２は最終仕上がりサイズ（幅）の設定項目上にカーソルがある例である。１５０３は通常のプレビューの例であり、左綴じであるため右ページが最初のページ（１ページ目）、左ページが最後のページ（この例では２００ページ目）となり、右綴じの場合（１４０４）と逆となる。１５０４が最終仕上がりサイズ（幅）の通常のプレビュー上のアシスト画像例である。１５０５は左綴じの場合の視点が異なるプレビューの例であり、右綴じの場合（１４０７）と向きが異なる。１５０６が最終仕上がりサイズ（幅）の視点が異なるプレビュー上のアシスト画像例である。この様に視点の異なるプレビューでは設定に合わせてより成果物に近いプレビューを表示して、設定が成果物に対しどの様に設定されるかをイメージすることができる。異なる視点からのプレビュー図はパーツ毎商材に合わせて各設定値で予め用意されワークフローＤＢ  ３０６に格納されている。
【００５６】
＜変形例３＞
第１の実施形態の変形例３を説明する。
【００５７】
変形例３では、商材タイプに応じて関連する複数のパーツを合わせてプレビュー表示し、設定のアシスト画像を表示する処理に関して説明する。
【００５８】
図８は、変形例３におけるアシスト画像を表示するサブフローチャートである。Ｓ８０１、Ｓ８０２以外は、図１７、図７と同じであり、図１７、図７と同一の処理に関しては同一の符号を使用して説明を省略する。
【００５９】
Ｓ８０１では設定が他パーツにも関連するかを判断している。他パーツにも関連する場合Ｓ８０２に、そうでない場合はＳ８０２をスキップしてＳ７０３に進む。
【００６０】
設定が他パーツに関連するかどうかは図１０に示すパーツ毎設定に合わせて決まる関連パーツ情報テーブルによって判断することができる。図１０はジャケットパーツ、ブック商材のポストプレス工程における折り設定の各設定値の関連パーツ情報テーブルを示している。例えばカットブロックの基点：Ｘ１は関連する他パーツは無く、クリース１：Ｘ２は本文、表紙、扉、帯パーツと関連している事を示している。
【００６１】
図１１はカーソルでポイントした設定が他パーツにも関連した場合を示した例である。ジャケットパーツのポストプレス工程における折り設定において、１１０１は折りの詳細設定を行うための設定コントロールである。１１０２はクリース１（折り）のＹ２にカーソルがあることを示している。
【００６２】
クリース１のＹ２はジャケットの折り幅を示している。これは本文・扉・表紙・帯等関連するパーツを一緒に表示した方が設定の効果をイメージしやすい。図１０関連パーツ情報テーブルにクリース１のＹ２は本文、表紙、扉、帯パーツと関連していることが読み取れる。１１０３が関連する本文・扉・表紙・帯パーツをジャケットパーツと一緒に表示した例である。１１０４がクリース１のＹ２のアシスト画像となり、最終成果物に対する設定の影響をイメージすることができる。
【００６３】
関連するパーツを一緒に表示せずジャケットパーツのみの異なる視点からのプレビューにアシスト画像を表示した例が図１２の１２０２となり、最終成果物に対するイメージが付きにくい。
【００６４】
一方設定が他パーツに関連しない場合の例としてカット後サイズの高さにカーソルが当たった例を図１３に示す。１３０３がジャケットパーツのみの視点が異なるプレビューのアシスト画像を示している。カット後サイズの高さの場合は、ジャケットパーツの視点が異なるプレビューのみで、設定が最終成果物にどう反映されるか無理なくイメージできる。
【００６５】
本例では異なる視点からのプレビューとして対象パーツのみか関連する他パーツも含めたものかを切り替えて表示しているが、両方表示しても構わない。
【００６６】
以上説明した実施形態によれば、設定画面のプレビューにおいて、設定値を入れる時にプレビュー画像に対して設定箇所をアシストすることで、設定が成果物にどう反映されるのか、ユーザが認識しやすくなる。
【００６７】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2020071722.tif 000003
【図２】
2020071722.tif 000004
【図３】
2020071722.tif 000005
【図４】
2020071722.tif 000006
【図５】
2020071722.tif 000007
【図６】
2020071722.tif 000008
【図７】
2020071722.tif 000009
【図８】
2020071722.tif 000010
【図９】
2020071722.tif 000011
【図１０】
2020071722.tif 000012
【図１１】
2020071722.tif 000013
【図１２】
2020071722.tif 000014
【図１３】
2020071722.tif 000015
【図１４】
2020071722.tif 000016
【図１５】
2020071722.tif 000017
【図１６】
2020071722.tif 000018
【図１７】
2020071722.tif 000019
【図１８】
2020071722.tif 000020
【図１９】
2020071722.tif 000021
【図２０】
2020071722.tif 000022
【図２１】
2020071722.tif 000023
【図２２】
2020071722.tif 000024